(57)【要約】【課題】簡易な処理によって、多次元ルックアップテーブルを用いて色相毎の彩度調整を画像データに対して行うことが可能な画像処理装置を提供する。【解決手段】  色相領域Ｚ毎に彩度調整特性データを記憶し、画像データの表色系の変換を行うための多次元ルックアップテーブルの出力値を当該彩度調整特性データによって色相領域Ｚ毎に書き換えることにより、色相領域Ｚ毎の調整特性で彩度調整を行う。そして、多次元ルックアップテーブルの入力値となる明度−色相−彩度系の座標空間の分割格子点は、単位高さの明度、単位角度幅の色相、及び、単位長さの彩度によって構成される扇柱Ｏ及び円弧台形柱Ｅの頂点とする。【選択図】図９
2008258871.tif 000002
【特許請求の範囲】
【請求項１】
原稿読取手段で原稿を読み取って生成した画像データを明度−色相−彩度系である第１表色系の画像データに変換し、さらに、当該第１表色系の画像データを、多次元ルックアップテーブルを用いて、出力用の第２表色系の画像データに変換する画像処理装置であって、
テーブルの入力座標となる分割格子点が、明度−色相−彩度系の極座標空間において、単位高さの明度、単位角度幅の色相、及び、単位長さの彩度によって構成される扇柱の頂点、及び、円弧台形柱の頂点である前記多次元ルックアップテーブル、並びに、明度−色相−彩度系の極座標空間の色相面を所定の角度で分割した色相領域毎の彩度調整特性データ、を記憶した記憶手段と、
彩度調整の指示が行われた場合に、前記記憶手段に記憶されている前記多次元ルックアップテーブルの出力値を、同記憶手段に記憶されている彩度調整特性データに基づいて書き換えるテーブル書換手段と、
前記テーブル書換手段によって書き換えられた前記多次元ルックアップテーブルの出力値を用いて、前記第１表色系の画像データを前記第２表色系の画像データに変換する変換手段と、を備えることを特徴とする画像処理装置。
【請求項２】
前記記憶手段は、明度−色相−彩度系の極座標空間の色相面において色相の変化方向に連なる前記色相領域に対して間欠的に彩度調整特性データを記憶し、
前記テーブル書換手段は、前記記憶手段に彩度調整特性データが記憶されていない色相領域の彩度調整特性データを、彩度調整特性データが記憶されていない色相領域の両側の彩度調整データが記憶されている２つの色相領域の彩度調整特性データ、及び、彩度調整特性データが記憶されていない色相領域と前記両側の色相領域との角度距離、に基づく補間演算により算出することを特徴とする請求項１に記載の画像処理装置。
【請求項３】
前記変換手段は、前記多次元ルックアップテーブルの入力の各分割格子点の間に位置する点に対応する出力値を、前記間に位置する点の近傍の複数の分割格子点に対応する出力値、及び、前記間に位置する点と前記近傍の複数の分割格子点との距離、に基づく補間演算により算出することを特徴とする請求項１又は２に記載の画像処理装置。
【請求項４】
外部からの入力操作を受け付ける受付手段を備え、
前記記憶手段は、１の色相領域について複数パターンの前記彩度調整特性データを記憶し、
前記テーブル書換手段は、前記受付手段が受け付けた入力操作に応じて選択された、前記彩度調整特性データに基づいて前記多次元ルックアップテーブルの出力値を書き換えることを特徴とする請求項１乃至３のいずれか１に記載の画像処理装置。
【発明の詳細な説明】
【技術分野】
【０００１】
本発明は、画像処理装置に関し、詳しくは、原稿読取手段で原稿を読み取って生成した画像データを明度−色相−彩度系である第１表色系の画像データに変換し、さらに、当該第１表色系の画像データを、多次元ルックアップテーブルを用いて、出力用の第２表色系の画像データに変換する画像処理装置関するものである。
【背景技術】
【０００２】
従来、複合機など画像処理装置では、スキャナで原稿を読み込んで生成したカラー画像データに彩度調整処理を施したものをコピー用紙などの記録紙に印刷出力することが行われている。ところで、カラー画像における色の属性である色相は、色相によって特性が異なっている。例えば、各色相に対して均一に彩度を変化させた場合に、赤の色相では彩度の変化が目につきやすいが、黄の色相では変化が目につきにくいという違いがある。そこで、色相の特性を考慮した彩度調整を行うために、色相毎に異なる特性で彩度を調整することができる画像処理装置が発明されている（例えば、特許文献１）。
【０００３】
また、例えば、複合機のスキャナで原稿を読み取って生成した画像データは、ＲＧＢ表色系の画像データであるが、プリンタで印刷出力する際の画像データはＣＭＹＫ表色系の画像データである。したがって、複合機においては、画像データの表色系を変換する処理が必要になるが、この表色系の変換には、いわゆる多次元ルックアップテーブルが使用されることがある。
【０００４】
画像データの表色系の変換に多次元ルックアップテーブルを使用している場合には、多次元ルックアップテーブルの出力値を彩度の調整特性データに基づいて書き換え、この出力値を書き換えた多次元ルックアップテーブルで画像データを置き換えることによって、表色系の変換とともに、彩度調整を行うことができる。
【特許文献１】特開２００３−２７４２１０号公報
【発明の開示】
【発明が解決しようとする課題】
【０００５】
ところで、画像データの表色系の変換を行う多次元ルックアップテーブルの入力値は、入力画像データの多次元座標空間を基本単位で分割した分割空間の頂点（分割格子点）であるが、従来の多次元ルックアップテーブルにおいては、多次元座標空間を分割する基本単位は、立方体である。つまり、従来の多次元ルックアップテーブルの入力値の座標は、直交座標系であり、入力値としては入力データの多次元座標空間を分割する立方体の頂点の座標しか持ち得ない。これに対し、色相を属性として備える明度−色相−彩度系の画像データの座標空間は極座標系である。
【０００６】
色相毎に彩度調整を行う場合には、多次元ルックアップテーブルを彩度の調整特性データに基づいて色相毎に書き換える必要がある。彩度の調整特性データは色相毎のデータであり、図１１に示すように、特定の色相は、原点から所定の傾斜を持った直線Ｃで表されるが、多次元ルックアップテーブルの分割格子点Ｄは立方体の頂点であるため、直線Ｃと分割格子点Ｄとは完全には一致しない。そのため、従来の多次元ルックアップテーブルを用いて色相毎の彩度調整を行うためには、多次元ルックアップテーブルを書き換える際に彩度の調整特性データの補正が必要であり、処理が複雑になるという問題がある。
【０００７】
そこで、本発明は、簡易な処理によって、多次元ルックアップテーブルを用いて色相毎の彩度調整を画像データに対して行うことが可能な画像処理装置を提供することを目的とする。
【課題を解決するための手段】
【０００８】
上記目的を達成するために、請求項１に記載の画像処理装置は、原稿読取手段で原稿を読み取って生成した画像データを明度−色相−彩度系である第１表色系の画像データに変換し、さらに、当該第１表色系の画像データを、多次元ルックアップテーブルを用いて、出力用の第２表色系の画像データに変換する画像処理装置であって、テーブルの入力座標となる分割格子点が、明度−色相−彩度系の極座標空間において、単位高さの明度、単位角度幅の色相、及び、単位長さの彩度によって構成される扇柱の頂点、及び、円弧台形柱の頂点である前記多次元ルックアップテーブル、及び、明度−色相−彩度系の極座標空間の色相面を所定の角度で分割した色相領域毎の彩度調整特性データ、を記憶した記憶手段と、彩度調整の指示が行われた場合に、前記記憶手段に記憶されている前記多次元ルックアップテーブルの出力値を、同記憶手段に記憶されている彩度調整特性データに基づいて書き換えるテーブル書換手段と、前記テーブル書換手段によって書き換えられた前記多次元ルックアップテーブルの出力値を用いて、前記第１表色系の画像データを前記第２表色系の画像データに変換する変換手段と、を備えることを特徴としている。
【０００９】
この構成によれば、原稿読取手段で原稿を読み取って生成した画像データを明度−色相−彩度系である第１表色系の画像データに変換し、さらに、当該第１表色系の画像データを、多次元ルックアップテーブルを用いて、出力用の第２表色系の画像データに変換する画像処理装置であって、記憶手段には、テーブルの入力座標となる分割格子点が、明度−色相−彩度系の極座標空間において、単位高さの明度、単位角度幅の色相、及び、単位長さの彩度によって構成される扇柱の頂点、及び、円弧台形柱の頂点である前記多次元ルックアップテーブル、並びに、明度−色相−彩度系の極座標空間の色相面を所定の角度で分割した色相領域毎の彩度調整特性データが記憶される。そして、彩度調整の指示が行われた場合に、テーブル書換手段により、記憶手段に記憶されている多次元ルックアップテーブルの出力値が、記憶手段に記憶されている彩度調整特性データに基づいて書き換えられ、変換手段により、テーブル書換手段によって書き換えられた多次元ルックアップテーブルの出力値を用いて、第１表色系の画像データが第２表色系の画像データに変換される。
【００１０】
このように、多次元ルックアップテーブルの出力値が色相領域毎の彩度調整データによって書き換えられるので、当該多次元ルックアップテーブルを用いて第１表色系の画像データを第２表色系の画像データに書き換えることによって、色相領域毎に画像データの彩度調整を行うことができる。また、多次元ルックアップテーブルの入力となる第１表色系の画像データは、明度−色相−彩度系、つまり、極座標系であり、多次元ルックアップテーブルの入力座標となる分割格子点は、明度−色相−彩度系の極座標空間において、単位高さの明度、単位角度幅の色相、及び、単位長さの彩度によって構成される扇柱の頂点、及び、円弧台形柱の頂点であり、極座標系である。したがって、彩度調整特性データに基づく色相領域毎の多次元ルックアップテーブルの出力値の書き換えを容易に行うことができる。
【００１１】
請求項２に記載の画像処理装置は、請求項１に記載の画像処理装置であって、前記記憶手段は、明度−色相−彩度系の極座標空間の色相面において色相の変化方向に連なる前記色相領域に対して間欠的に彩度調整特性データを記憶し、前記テーブル書換手段は、前記記憶手段に彩度調整特性データが記憶されていない色相領域の彩度調整特性データを、彩度調整特性データが記憶されていない色相領域の両側の彩度調整データが記憶されている２つの色相領域の彩度調整特性データ、及び、彩度調整特性データが記憶されていない色相領域と前記両側の色相領域との角度距離、に基づく補間演算により算出することを特徴としている。
【００１２】
この構成によれば、記憶手段により、明度−色相−彩度系の極座標空間の色相面において色相の変化方向に連なる色相領域に対して間欠的に彩度調整特性データが記憶され、テーブル書換手段により、記憶手段に彩度調整特性データが記憶されていない色相領域の彩度調整特性データが、彩度調整特性データが記憶されていない色相領域の両側の彩度調整データが記憶されている２つの色相領域の彩度調整特性データ、及び、彩度調整特性データが記憶されていない色相領域と前記両側の色相領域との角度距離、に基づく補間演算により算出される。このように、欠落部分の彩度調整特性データを補間演算により算出することにより、間欠的な色相領域の彩度調整特性データを記憶するだけでよいので、記憶装置の記憶容量を節約することができる。
【００１３】
請求項３に記載の画像処理装置は、請求項１又は２に記載の画像処理装置であって、前記変換手段は、前記多次元ルックアップテーブルの入力の各分割格子点の間に位置する点に対応する出力値を、前記間に位置する点の近傍の複数の分割格子点に対応する出力値、及び、前記間に位置する点と前記近傍の複数の分割格子点との距離、に基づく補間演算により算出することを特徴としている。
【００１４】
この構成によれば、変換手段により、前記多次元ルックアップテーブルの入力の各分割格子点の間に位置する点に対応する出力値が、前記間に位置する点の近傍の複数の分割格子点に対応する出力値、及び、前記間に位置する点と前記近傍の複数の分割格子点との距離、に基づく補間演算により算出される。このように、分割格子点の間に位置する入力点に対応する出力値を補間演算によって算出するので、分割格子点の密度を低くすることができ、多次元ルックアップテーブルのデータ量を抑えて、記憶装置の記憶容量を節約することができる。
【００１５】
請求項４に記載の画像処理装置は、請求項１乃至３のいずれか１に記載の画像処理装置であって、外部からの入力操作を受け付ける受付手段を備え、前記記憶手段は、１の色相領域について複数パターンの前記彩度調整特性データを記憶し、前記テーブル書換手段は、前記受付手段が受け付けた入力操作に応じて選択された、前記彩度調整特性データに基づいて前記多次元ルックアップテーブルの出力値を書き換えることを特徴としている。
【００１６】
この構成によれば、受付手段により、外部からの入力操作が受け付けられ、記憶手段により、１の色相領域について複数パターンの彩度調整特性データが記憶され、テーブル書換手段により、受付手段が受け付けた入力操作に応じて選択された、彩度調整特性データに基づいて前記多次元ルックアップテーブルの出力値が書き換えられる。したがって、利用者の操作を受付手段が受け付けることにより、利用者の所望の彩度調整を行うことができる。
【発明を実施するための最良の形態】
【００１７】
以下、図面を参照しつつ、本発明に係る画像処理装置の一例としてのインターネットファクシミリ装置１について説明する。インターネットファクシミリ装置１は、ファクシミリ機能、インターネットファクシミリ機能、電子メール機能、スキャン機能、コピー機能、プリント機能、通話機能などを備えた、いわゆるファクシミリ複合機と呼ばれるものである。インターネットファクシミリ装置１は、オフィスなどに設置され、公衆交換電話網（ＰＳＴＮ：Public Switched Telephone Networks）及びＬＡＮ（Local Area Network）に接続される。
【００１８】
図１は、インターネットファクシミリ装置１の構成例を示したブロック図である。このインターネットファクシミリ装置１は、図１に示すように、ＣＰＵ（Central Processing Unit）１０１、ＲＯＭ（Read Only Memory）１０２、ＲＡＭ（Random Access Memory）１０３、ＨＤＤ（Hard Disk Drive）１０４、操作部１０５、表示部１０６、原稿読取部１０７、画像処理部１０８、コーデック（ＣＯＤＥＣ：Coder and Decoder）１０９、画像メモリ１１０、プリンタ１１１、ＦＡＸ通信部１１２、及び、ＬＡＮ−Ｉ／Ｆ（Local Area Network Interface）１１３を備えており、各部１０１乃至１１３は、バス（bus）１１４によって通信可能に接続されている。
【００１９】
ＣＰＵ１０１は、ＲＯＭ１０２に格納されている制御プログラムに従って、インターネットファクシミリ装置１の各部の動作を制御する。ＲＯＭ１０２は、ＣＰＵ１０１によりこのインターネットファクシミリ装置１の各部の動作を制御するための前記制御プログラムなどを格納する。ＲＡＭ１０３は、インターネットファクシミリ装置１の動作に用いる設定情報などの各種データなどを、読み出し及び書き込みが可能な状態で記憶するものであり、ＣＰＵ１０１のワークエリアとしても機能する。ＨＤＤ１０４は、ファクシミリ機能で送受信した画像データの蓄積などを行うためのものである。
【００２０】
操作部１０５は、図示しないが、原稿の読み取り動作の開始を指示するためのスタートキー、ファクシミリ番号、コピー部数などを入力するためのテンキー、文字の入力を行うための文字入力キー、操作対象を指定するためのカーソルキーなどを備えている。表示部１０６は、各種の設定状態や自装置１の動作状態などを文字や図形などで表示するタッチパネル式の液晶表示装置（ＬＣＤ：Liquid Crystal Display）（オペレーションパネル）や、点灯又は消灯で表示するＬＥＤ（Light Emitting Diode）ランプなどを備えている。操作部１０５が備える各キーの操作や表示部１０６が備える液晶表示装置のパネルへのタッチに応じて液晶表示装置の表示が変化し、この液晶表示装置の表示に対応した操作部１０５の各キーへの操作や液晶表示装置のパネルへのタッチにより各種の入力を行うことができる。
【００２１】
原稿読取部１０７は、原稿の画像を読み取ってＲＧＢ表色系の画像データを生成するものであり、図示しないが、例えば、透明な原稿載置板に載置された原稿を読み取るフラット・ベッド・スキャナ（ＦＢＳ：Flat Bed Scanner）や、原稿トレイに載置された原稿を読み取るべく、その原稿を搬送する自動原稿給送装置（ＡＤＦ：Automatic Document Feeder）を備えている。
【００２２】
画像処理部１０８は、原稿読取部１０７から出力された画像データに対して、表色系変換処理、彩度調整処理等の処理を行うものである。彩度調整処理については後に詳述する。コーデック１０９は、画像処理部１０８等によって処理された画像データを符号化（エンコード）し、また、符号化された画像データを復号（デコード）するものである。コーデック１０９に入力された画像データは、ＪＰＥＧ、ＭＨ、ＭＲ、ＭＭＲ、ＪＢＩＧ方式等に基づいて符号化され、画像メモリ１１０に記憶される。
【００２３】
プリンタ１１１は、画像メモリ１１０から読み出され、コーデック１０９によって復号された画像データを印刷出力するものである。
【００２４】
ＦＡＸ通信部１１２は、原稿の画像データをファクシミリ（ＦＡＸ）通信するものであり、図示しないが、モデム（ＭＯＤＥＭ：MOdulator-DEModulator）及びＮＣＵ（Network Control Unit）を備えている。モデムは、例えばＩＴＵ−Ｔ（国際電気通信連合電気通信標準化部門）の勧告Ｖ．３４規格又はこれと同様のものに従った送受信データの変調及び復調を行うものである。ＮＣＵは、電話回線を制御して電話をかけたり、切ったりする回線網制御装置でありＰＳＴＮに接続される。ＰＳＴＮには、インターネットファクシミリ装置１の他にＧ３ファクシミリ装置などが通信可能に接続され、インターネットファクシミリ装置１は、Ｇ３ファクシミリ装置などとの間で画像データをファクシミリ通信により送信又は受信することが可能である。
【００２５】
ＬＡＮ−Ｉ／Ｆ１１３は、インターネットファクシミリ装置１をＬＡＮに接続可能にするものである。ＬＡＮには、クライアントＰＣなども接続され、インターネットファクシミリ装置１は、クライアントＰＣなどとの間でデータの通信が可能である。また、インターネットファクシミリ装置１は、ＬＡＮ及びルータを介して、インターネット上に設けられたその他のインターネットファクシミリ装置などと接続され、その他のインターネットファクシミリ装置などとの間でインターネットファクシミリ通信を行うことができる。ここで、インターネットファクシミリ通信とは、例えば、ＴＩＦＦ（Tagged Image File Format）−Ｓ形式のファイル（画像データ）を添付した電子メールをＳＭＴＰ（Simple Mail Transfer Protocol）で送受信する通信である。
【００２６】
このようなインターネットファクシミリ装置１では、原稿読取部１０７でカラー原稿を読み取って生成したカラー画像データを、彩度調整特性データに基づいて、色相領域毎に彩度調整を行い、当該彩度調整を行った画像データを印刷出力することができる。インターネットファクシミリ装置１は、図２に示すように、原稿読取部１０７で生成されたＲＧＢ表色系の画像データを、画像処理部１０８でＣＭＹＫ表色系の画像データに変換し、プリンタ１１１で記録紙に印刷出力する。
【００２７】
原稿読取部１０７から出力されたＲＧＢ表色系の画像データは、画像処理部１０８に与えられると、まず、表色系変換部１０８ａでＬａｂ表色系の画像データに変換される。Ｌａｂ表色系の座標空間は直交座標系であり、明度と２つの色差の色属性を備えている。Ｌａｂ表色系の画像データは、座標系変換部１０８ｂに与えられて、さらに、ＬＣＨ表色系の画像データに変換される。ＬＣＨ表色系への変換は、Ｌａｂ表色系の画像データの明度をそのままに、２つの色差を極座標変換することによって行われる。したがって、ＬＣＨ表色系の座標空間は極座標系であり、明度、色相、及び、彩度の色属性を備えている。
【００２８】
ＬＣＨ表色系は明度−色相−彩度系であり、明度−色相−彩度系は、図３に示すような円柱状の座標空間である。つまり、図４に示すように、この座標空間上の点をＰとすると、点Ｐと原点とを結ぶ直線がゼロ度の直線と成す角度θによって色相が特定される。図４の例では、赤の色相をゼロ度としている。そして、点Ｐの原点からの距離ｄによって彩度が特定される。なお、彩度とは色の鮮やかさを示す属性である。
【００２９】
インターネットファクシミリ装置１では、図５に示すように、明度−色相−彩度系の座標空間の色相−彩度面を、１０°刻みに３６の色相領域Ｚに分割する。そして、この色相領域Ｚ毎に彩度調整特性データを設定し、色相領域Ｚ毎に異なる特性で彩度を調整することができる。
【００３０】
彩度調整特性データとは、例えば、図６に示すようなグラフによって示されるデータであり、入力値の彩度と出力値の彩度との対応を表したデータである。図６は、彩度を上昇させる場合に使用される彩度調整特性データを示したものであり、例として、赤の色相領域Ｚｒの彩度調整に使用される彩度調整特性データと黄の色相領域Ｚｙの彩度調整に使用される彩度調整特性データとを示している。図６からわかるように、同一の入力値に対し、赤の色相領域Ｚｒの彩度の上昇の程度よりも黄の色相領域Ｚｙの彩度の上昇の程度が大きくなっている。これは、黄の色相の彩度をあげた場合、同じ量だけ赤の色相の彩度をあげた場合よりも彩度の変化が目につきにくいという色相の特性を考慮したものである。図７は、彩度を降下させる場合に使用される彩度調整特性データを示すものであるが、同様の理由から、同一の入力値に対し、赤の色相領域Ｚｒの彩度の降下の程度よりも黄の色相領域Ｚｙの彩度の降下の程度が大きくなっている。
【００３１】
このような彩度調整特性データは、インターネットファクシミリ装置１のＲＯＭ１０２には記憶されている。しかし、ＲＯＭ１０２には、図５に示す３６領域すべての色相領域Ｚの彩度調整特性データは記憶されていない。図５において、色相の変化方向に間欠的に存在する黒塗りで示した色相領域Ｚ１についてのみ彩度調整特性データが記憶されている。ＲＯＭ１０２に記憶されていない、図５において白塗りで示した色相領域Ｚ０の彩度調整特性データは、書換部１０８ｃにおいて、色相領域Ｚ０の両側の２つの色相領域Ｚ１の彩度調整特性データ、並びに、色相領域Ｚ０と両側の２つの色相領域Ｚ１との角度距離に基づく補間演算によって算出される。
【００３２】
ところで、インターネットファクシミリ装置１では、原稿読取部１０７で生成された画像データ（表色系変換部１０８ａでＬａｂ表色系に変換され、座標系変換部１０８ｂでＬＣＨ表色系に変換された画像データ）は、いわゆる多次元ルックアップテーブルを用いてＣＭＹＫ表色系の画像データに変換される。この多次元ルックアップテーブルは、図８に示すように、ＬＣＨ表色系（明度−色相−彩度系）の座標空間の座標である入力と、当該座標を変換して得られるＣＭＹＫ表色系の出力値とを対応つけたものである。したがって、彩度調整特性データに基づいて、多次元ルックアップテーブルの出力値、つまり、明度−色相−彩度系の座標空間の座標に対応するＣＭＹＫ表色系の出力値を書き換えれば、書き換えられた多次元ルックアップテーブルを用いてＬＣＨ表色系の画像データを置き換えることにより、彩度調整特性データに基づいて彩度が調整されたＣＭＹＫ表色系の画像データを得ることができる。なお、本実施の形態における多次元ルックアップテーブルは、入力値が、明度、色相、及び、彩度である３次元の多次元ルックアップテーブルである。
【００３３】
ここで、多次元ルックアップテーブルの入力値は、明度−色相−彩度系の座標空間の座標であるが、入力値とする座標は次のような座標である。即ち、入力値となる座標は、明度−色相−彩度系の座標空間を分割する分割格子点であるわけであるが、図９及び図１０に示すように、座標空間を、単位高さＡの明度、単位角度幅αの色相、及び、単位長さＢの彩度によって構成される立体である扇柱Ｏと円弧台形柱Ｅで分割し、分割格子点をこの扇柱Ｏの頂点及び円弧台形柱Ｅの頂点とする。この扇柱Ｏと円弧台形柱Ｅとは、明度−色相−彩度系の座標空間を、明度の軸に単位高さＡの明度毎に交わる色相−彩度面に平行な面と、単位角度幅α毎に原点から放射状に位置する明度−色相面と、原点を中心とし単位長さＢの彩度ずつ半径が増す同心円を底面とする各円柱の側面と、で分割することによって得られる立体である。なお、単位角度幅αは、例えば、色相領域Ｚに合わせて１０°とすることができる。
【００３４】
彩度調整を行う場合には、書換部１０８ｃによって、多次元ルックアップテーブルにおける色相が同じである入力値に対応する出力値が、当該色相が属する色相領域Ｚの彩度調整特性データに基づいて書き換えられる。明度−色相−彩度系（ＬＣＨ表色系）は極座標系であり、多次元ルックアップテーブルの入力値の座標である分割格子点も扇柱Ｏの頂点及び円弧台形柱Ｅの頂点であり極座標系であるので、彩度調整特性データによる多次元ルックアップテーブルの出力値の色相毎の書き換えを容易に行うことができる。
【００３５】
書換部１０８ｃによって多次元ルックアップテーブルの出力値が彩度調整特性データに基づいて書き換えられると、彩度調整部１０８ｄは、座標系変換部１０８ｂから与えられるＬＣＨ表色系（明度−色相−彩度系）の画像データを、多次元ルックアップテーブルを用いてＣＭＹＬ表色系の画像データに変換する。多次元ルックアップテーブルの出力値は、彩度調整特性データによって書き換えられているので、彩度調整部１０８ｄにおける多次元ルックアップテーブルを用いたＣＭＹＫ表色系への変換により、同時に色相領域Ｚ毎の彩度調整が行われる。つまり、本発明においては、多次元ルックアップテーブルの出力値の書き換えは、色相領域Ｚ毎の彩度調整を目的として行われる。
【００３６】
なお、彩度調整部１０８ｄは、多次元ルックアップテーブルへの入力値が、扇柱Ｏ及び円弧台形柱Ｅによって決定される分割格子点の間に位置する座標である場合には、当該座標に対応する出力値を、当該座標の近傍の複数の分割格子点に対応する出力値、並びに、当該座標と近傍の複数の分割格子点との距離に基づいて補間演算により算出する。
【００３７】
このようにして、ＣＭＹＫ表色系に変換され、かつ、色相領域Ｚ毎に彩度調整された画像データは、プリンタ１１１に与えられ、コピー用紙などの記録紙に印刷される。
【００３８】
以上に説明したように、インターネットファクシミリ装置１では、多次元ルックアップテーブルの入力値の座標（分割格子点）が扇柱Ｏの頂点及び円弧台形柱Ｅの頂点であり、極座標系としたので、色相領域Ｚ毎に彩度調整を行うための、彩度調整特性データによる多次元ルックアップテーブルの色相領域Ｚ毎の書き換えを容易に行うことができる。
【００３９】
なお、本発明の実施の形態は、上述の形態に限らず、発明の思想の範囲内で、種々に変更することができる。例えば、ＲＯＭ１０２に、１つの色相領域Ｚに対する複数のパターンの彩度調整特性データを記憶するようにし、インターネットファクシミリ装置１の利用者が表示部１０６の液晶表示装置に表示された画面を参照しつつ行う、操作部１０５への入力操作により、多次元ルックアップテーブルの書き換えに用いる彩度調整特性データを複数のパターンから選択することができるようにしてもよい。このようにすれば、利用者は、コピーする原稿の画像の特性やコピーした原稿の利用目的に応じて所望の彩度調整を行うことができる。
【００４０】
また、上述の実施の形態では、彩度調整を行った画像データをプリンタ１１１で印刷することとしたが、これに替えて、画像データをＴＩＦＦ形式などのファイルに形成し、ＬＡＮを介してインターネットファクシミリ装置１に接続されているクライアントＰＣに送信し、いわゆるスキャン・トゥ・フォルダを実行するようにしてもよい。この場合、多次元ルックアップテーブルの出力値は、ＣＭＹＫ表色系ではなく、ＹＣｂＣｒ表色系、Ｌａｂ表色系、ＲＧＢ表色系などとなる。
【００４１】
さらに、上述の実施の形態では、入力値が明度、色相、彩度の３次元である多次元ルックアップテーブルを用いることとしたが、色相領域Ｚ毎の３次元ルックアップテーブルを組み合わせ、入力値として色相領域Ｚを識別する値を加えた４次元ルックアップテーブルとすることもできる。
【産業上の利用可能性】
【００４２】
本発明は、例えば、原稿読取手段で原稿を読み取って生成した画像データを明度−色相−彩度系である第１表色系の画像データに変換し、さらに、当該第１表色系の画像データを、多次元ルックアップテーブルを用いて、印刷用又は保存用の第２表色系の画像データに変換する画像処理装置関に適用可能である。
【図面の簡単な説明】
【００４３】
【図１】本発明に係るインターネットファクシミリ装置１の構成例を示すブロック図である。
【図２】画像処理部１０８の構成例を示すブロック図である。
【図３】明度−色相−彩度系の座標空間を示す説明図である。
【図４】明度−色相−彩度系の座標空間を示す説明図である。
【図５】色相領域Ｚを示す説明図である。
【図６】彩度調整特性データの一例を示す説明図である。
【図７】彩度調整特性データの一例を示す説明図である。
【図８】多次元ルックアップテーブルの一例を示す説明図である。
【図９】多次元ルックアップテーブルの入力座標を構成する分割格子点を示す説明図である。
【図１０】多次元ルックアップテーブルの入力座標を構成する分割格子点を示す説明図である。
【図１１】従来の多次元ルックアップテーブルの問題点を示す説明図である。
【符号の説明】
【００４４】
１        インターネットファクシミリ装置（画像処理装置）
１０１    ＣＰＵ
１０２    ＲＯＭ
１０３    ＲＡＭ
１０５    操作部
１０６    表示部
１０８    画像処理部
１０８ａ  表色系変換部
１０８ｂ  座標系変換部
１０８ｃ  書換部
１０８ｄ  彩度調整部
【図１】
2008258871.tif 000003
【図２】
2008258871.tif 000004
【図３】
2008258871.tif 000005
【図４】
2008258871.tif 000006
【図５】
2008258871.tif 000007
【図６】
2008258871.tif 000008
【図７】
2008258871.tif 000009
【図８】
2008258871.tif 000010
【図９】
2008258871.tif 000011
【図１０】
2008258871.tif 000012
【図１１】
2008258871.tif 000013